(57)【要約】【課題】本発明の課題は、ランプの端子を制御基板に固定する際に回路パターンや回路部品への損傷を防止できると共に締め付け操作がし易い照射装置を提供することである。【解決手段】光源ランプ（ランプ）７と、光源ランプ７の制御基板１７と、一方及び他方の給電端子３１、３３と、トリガー端子４１と、一方及び他方の給電端子の端子台３７、３８と、トリガー端子の端子台４２とを備え、一方及び他方の給電端子の端子台３７、３８は制御基板１７の隅部にそれぞれ設けており、トリガー端子の端子台４２は一方の給電端子の端子台３７と他方の給電端子の端子台３８との間に設けており、一方及び他方の給電端子３１、３３は各給電端子の端子台３７、３８に制御基板１７の上方から締め付けるねじ４５、４６で固定しており、トリガー端子４１はトリガー端子の端子台４２に制御基板１７の水平方向から締め付けるねじ４２ｄで固定している。【選択図】図１
2008113984.tif 000002
【特許請求の範囲】
【請求項１】
ランプと、ランプの制御基板と、一方及び他方の給電端子と、トリガー端子と、一方及び他方の給電端子の端子台と、トリガー端子の端子台とを備え、一方及び他方の給電端子の端子台は制御基板の隅部にそれぞれ設けており、トリガー端子の端子台は一方の給電端子の端子台と他方の給電端子の端子台との間に設けており、一方及び他方の給電端子は各給電端子の端子台に制御基板の上方から下方に向けて締め付けるねじで固定しており、トリガー端子はトリガー端子の端子台に制御基板に沿う水平方向から締め付けるねじで固定していることを特徴とする照射装置。
【発明の詳細な説明】
【技術分野】
【０００１】
本発明は、照射装置に関する。
【背景技術】
【０００２】
特許文献１には、ランプと、ランプに接続された一方及び他方の給電端子とトリガー端子とを備えた技術が開示されている。
【０００３】
一方、特許文献２には、制御基板の上方からねじで締め付けて端子を制御基板に固定する技術が開示されている。
【０００４】
【特許文献１】特開２０００−３２３０９２号公報
【特許文献２】特開平９−１８０７９１号公報
【発明の開示】
【発明が解決しようとする課題】
【０００５】
しかし、上述の特許文献２に記載の従来技術では、制御基板の上方からねじで締め付けて端子を制御基板に固定してあるので、ランプの端子を制御基板に固定する際、ドライバ等の工具の先端が制御基板に接触して、基板の回路パターンや回路部品の傷が付き易いという問題があった。
【０００６】
本発明は、ランプの端子を制御基板に固定する際に回路パターンや回路部品への損傷を防止できると共に締め付け操作がし易い照射装置を提供することを目的としている。
【課題を解決するための手段】
【０００７】
前記課題を解決するために、請求項１に記載された発明は、ランプと、ランプの制御基板と、一方及び他方の給電端子と、トリガー端子と、一方及び他方の給電端子の端子台と、トリガー端子の端子台とを備え、一方及び他方の給電端子の端子台は制御基板の隅部にそれぞれ設けており、トリガー端子の端子台は一方の給電端子の端子台と他方の給電端子の端子台との間に設けており、一方及び他方の給電端子は各給電端子の端子台に制御基板の上方から下方に向けて締め付けるねじで固定しており、トリガー端子はトリガー端子の端子台に制御基板に沿う水平方向から締め付けるねじで固定していることを特徴とする。
【発明の効果】
【０００８】
請求項１に記載の発明によれば、トリガー端子は制御基板の水平方向からのねじの締め付けにより端子台に固定しているので、ドライバ等の工具を用いてねじを締め付け操作すると、工具の先端が制御基板の回路パターンや回路部品に接触し難く、これらの損傷を防止できる。
【０００９】
一方及び他方の給電端子の端子台は、回路パターンや回路部品から離れた制御基板の隅部にそれぞれ設けてあるので、制御基板の上方から工具を用いてねじを締め付けても、工具の先端が回路パターンや回路部品に接触しにくく、締め付け操作がし易い。
【発明を実施するための最良の形態】
【００１０】
以下に、添付図面を参照して、本発明の実施の形態を詳細に説明する。尚、図１は本発明に係る照射装置の平面図であり、端子台に端子をそれぞれ固定して示す図、図２は図１の二点鎖線Ａで示す部分を抜き出して示す斜視図、図３は図２に示すトリガー端子の固定部分を示す横断面図、図４は本発明に係る照射装置の平面図であり、端子台から端子を外した状態を示す図、図５は本発明に係る照射装置の内部を示す斜視図、図６は本発明に係る照射装置の外観を示す斜視図である。
【００１１】
本実施の形態に係る照射装置１は、レーザ光を発する光源ランプ（ランプ）７を収納したヘッド部３と、照射装置１の持ち部となるハンドル部５とを備えており、ヘッド部３を皮膚に当てて、レーザ光を皮膚に照射することにより脱毛を行うものである。
【００１２】
ヘッド部３の先端には、ヘッド部３に脱着自在なランプユニット９が設けられており、このランプユニット９にはヘッド部３の内側に位置する光源ランプ７と、ヘッド部３の外側に位置する石英ガラス（フィルタ）１１とが設けられており、光源ランプ７の交換が容易に行えるようになっている。また、石英ガラス１１は、光源ランプ７から照射されたレーザ光のうち、メラニン吸収度の高い波長をカットし皮膚へのダメージを抑えるようにしている。
【００１３】
ハンドル部５は、光源ランプ７、照射ボタン１５、及び後述するファン１３等の制御基板１７を備えている。照射装置１は電源コード１９から電源の供給を受けて駆動している。また、本実施の形態に係る照射装置１は、波長、パルス幅、パルスサイクル、パルス反復回数、エネルギー値を細かく可変できるよう設定されている。具体的には、波長は５７５ｎｍ〜１０８０ｎｍ，パルス幅は０．５ｍｓ〜８ｍｓ、パルスサイクルは１０ｍｓ〜９９ｍｓ、パルス反復回数は１Ｈｚ〜３Ｈｚ、照射エネルギーは１Ｊ〜２５Ｊの範囲内で変更できる。
【００１４】
ヘッド部３を覆うカバーの両側には、短柵状の通気孔２１が形成されている。また、ヘッド部３内の通気孔２１の近傍位置には、左右一対のファン１３（流入側のファン１３ａ、排出側のファン１３ｂ）が設けられており、ファン１３の回転により、外気をヘッド部３内に導入し且つ反対側の通気孔２１からヘッド部３内の空気を外部に放出している。尚、ファン１３は回転数を変更することで風量の増減を行っている。
【００１５】
また、ヘッド部３の内部は、一方の通気孔２１から流入した空気が他方の通気孔２１へと抜ける通風路２３となっており、通風路２３内の通風方向の中央付近に光源ランプ７が位置している。また、通風路２３は、その背面側が略円弧形状の壁２４となっており、通風路２３内の熱がハンドル部５内に収納された制御基板１７に影響を与えないようになっている。
【００１６】
光源ランプ７は、ランプユニット９の基板２５に取り付けられており、光源ランプ７の周りは円弧状に湾曲した形状のアルミニウム材等からなる第１放熱部材２７で囲まれている。そして、第１放熱部材２７が通風路２３内に露出することにより、光源ランプ７から発した熱が、第１放熱部材２７から通風路２３内に向けて放熱されるようになっている。
【００１７】
さらに、ランプユニット９の前面側に位置する石英ガラス１１も、その周りがアルミニウム材等の第２放熱部材２９で覆われており、石英ガラス１１内に溜まった熱を外部に向けて放熱している。
【００１８】
ヘッド部３の内壁面、特に通風路２３内の上下の壁と背面側の壁２４にはアルミニウム箔（熱反射部材）を設けており、通風路２３に向けて熱を反射している。このように、熱反射部材によって熱が通風路２３に向けて反射されるので、ヘッド部３の壁に熱が吸収されることを防止できると共に、ヘッド部３内の熱は通風路２３から外部に放出され、ヘッド部３が高温になることを防止している。
【００１９】
また、ヘッド部３の内面壁には電磁波吸収塗料が塗布されており、光源ランプ７から放出される電磁波が外部に漏れないようになっている。
【００２０】
ランプユニット９には、光源ランプ７に給電を行う一方の給電部３１と他方の給電部３３と、光源ランプ７にトリガー信号を送信するトリガー送信部４０とが設けられている。一方及び他方の給電部３１、３３は給電線３２、３４と、給電端子（一方の給電端子３５、他方の給電端子３６）とを備えている。トリガー送信部４０には先端にトリガー端子４１が設けられている。
【００２１】
制御基板１７は一方の給電端子３５が接続される一方の端子台３７と、他方の給電端子３６が接続される他方の端子台３８と、トリガー端子４１の端子台４２とを備えている。そして、一方及び他方の端子台３７、３８において、電源コード１９から引き出された各ケーブル１９ａ、１９ｂの端部２０ａ、２０ｂと、一方の給電端子３５及び他方の給電端子３６をねじ４５、４６で固定してある。
【００２２】
一方の端子台３７と他方の端子台３８との間には回路部品１７ａや回路パターン１７ｂが設けられている。一方の端子台３７と他方の端子台３８との間の略中央にトリガー端子４１の端子台４２が設けられている。
【００２３】
トリガー端子４１の端子台４２は、直方体状の基台４２ａと、基台４２ａの上面に固定されたホルダ部４２ｂとを備えている。ホルダ部４２ｂは円筒形状であり、円筒の略半分が中空部４２ｅになっており、他方が中実部４２ｆになっている。中空部４２eにはネジ溝が形成されている。また、ホルダ部４２ｂの略中央にはホルダを貫通する貫通孔４２ｃが形成されており、係る貫通孔４２ｃにトリガー端子４１を通している。ホルダ部４２ｂの一方の端面からねじ４２ｄを締め付けており、ねじ４２ｄの先端でトリガー端子４１を押圧固定している。ホルダ部４２ｂの中実部４２ｆ側の端部には、制御基板１７からのトリガー信号を端子台４２に送信するリード線４２ｇが固定されている。尚、トリガー端子４１を固定するねじ４２ｄは、一方及び他方の給電端子を固定するねじ４５、４６の約半分の大きさである。
【００２４】
次に、上記した構成に基づき、本実施の形態の作用を説明する。本実施の形態に係る照射装置１を使用する際には、照射装置１のハンドル部５を手に持ち、ヘッド部３のランプユニット９を皮膚に当てる。そして、ハンドル部５のスイッチボタン１５ａを押すことで、光源ランプ７からレーザ光が発し、ヘッド部３前面の石英ガラス１１を通過したレーザ光が皮膚に照射される。
【００２５】
光源ランプ７の照射が開始されると、ヘッド部３内のファン１３が回転を開始し、これに伴い、一方の通気孔２１から外気が取り込まれる。通気孔２１から導入された空気は、ヘッド部３内の通風路２３を通過しつつ、ヘッド部３内の光源ランプ７を冷却する。そして、光源ランプ７を冷却した空気は、他方側の通風孔２１を通過して機外に排出される。
【００２６】
次にランプユニットの交換について説明する。ランプユニット９の取り付け時において、ランプユニット９をヘッド部３の所定位置に固定する。そして、制御基板１７の上方から下方に向けて、ドライバを使ってねじ４５、４６を締め付けて、制御基板１７の各端子台３７、３８に一方及び他方の給電端子３５、３６を固定する。また、トリガー端子４１をホルダ部４２ｂの貫通孔４２ｃに通し、精密ドライバを使って水平方向からねじ４２ｄをホルダ部４２ｂに締め付けて端子台４２にトリガー端子４１を固定する。
【００２７】
一方、ランプユニット９の取り外し時において、制御基板１７の上方からドライバを使ってねじ４５、４６を取り外し、制御基板１７の各端子台３７、３８から一方及び他方の給電端子３５、３６を取り外す。また、水平方向から精密ドライバを使ってねじ４２ｄをホルダ部４２ｂから外して、トリガー端子４１をホルダ部４２ｂの貫通孔４２ｃから取り外す。
【００２８】
本発明では、制御基板１７に沿う水平方向からのねじ４２ｄの締め付け又は取り外しにより端子台４２にトリガー端子４１を固定又は取り外しているので、ドライバ等の工具を用いてねじ４２ｄを締め付け又は取り外す場合、ドライバの先端が制御基板１７に接触し難く、制御基板の回路部品１７ａや回路パターン１７ｂの損傷を防止できる。
【００２９】
特に、トリガー端子４１を固定するねじ４２ｄが小さく、ドライバでねじ４２ｄを操作する際にドライバ先端がねじ頭からずれ易いが、制御基板１７の水平方向からねじ４２ｄを操作しているので、ドライバ先端がねじ頭からずれても制御基板１７に接触し難い。
【００３０】
一方及び他方の給電端子３５、３６の端子台３７、３８は、基板の回路部品１７ａや回路パターン１７ｂから離れた制御基板１７の隅部にそれぞれ設けてあるので、ドライバ等の工具を用いて制御基板１７の上方からねじ４５、４６を締め付けたり取り外したりしても、ドライバの先端が制御基板１７に接触し難く、締め付け操作がし易い。
【００３１】
一方及び他方の給電端子３５、３６とトリガー端子４１とを１つの制御基板１７に一直線状に並べて配置しているので、各端子を集約して接続でき、スペースの省略化及び各端子の接続作業性の向上を図れる。
【００３２】
上述のような実施の形態に限定されず、その要旨を逸脱しない範囲内において種々の変形が可能である。
【００３３】
本実施の形態では、照射装置１として皮膚に光源ランプ７の光を照射して脱毛を図る美容機器について説明したが、これに限定されず、光源ランプ７の波長、パルス幅、パルスサイクル等を細かく変更することで、脱毛以外の種々の用途に適用することができ、例えば皮膚の活性を図ることで、美肌効果等を得ることもできる。
【００３４】
尚、本発明は上述した実施の形態に限定されず、その要旨を逸脱しない範囲で種々の変形が可能である。
【００３５】
トリガー端子の端子台４２において、ホルダ部４２ｂは基台４２ａに固定してあるが、これに限定されず、ホルダ部４２ｂは基台４２ａに固定せずに、例えば、基台４２ａに溝を設けて、係る溝内にホルダ部４２ｂを嵌めてあっても良い。
【図面の簡単な説明】
【００３６】
【図１】本発明に係る照射装置の平面図であり、端子台に各端子を固定して示す図である。
【図２】図１の二点鎖線Ａで示す部分を抜き出して示す斜視図である。
【図３】図２に示すトリガー端子の固定部分を示す横断面図である。
【図４】本発明に係る照射装置の平面図であり、端子台から各端子を外した状態を示す図である。
【図５】本発明に係る照射装置の内部を示す斜視図である。
【図６】本発明に係る照射装置の外観を示す斜視図である。
【符号の説明】
【００３７】
１          照射装置
７          光源ランプ（ランプ）
１７        制御基板
３１        一方の給電端子
３３        他方の給電端子
３７        一方の給電端子の端子台
３８        他方の給電端子の端子台
４１        トリガー端子
４２        トリガー端子の端子台
４２ｄ      ねじ
４５、４６  ねじ
【図１】
2008113984.tif 000003
【図２】
2008113984.tif 000004
【図３】
2008113984.tif 000005
【図４】
2008113984.tif 000006
【図５】
2008113984.tif 000007
【図６】
2008113984.tif 000008